(57)【要約】      （修正有）【課題】ａ．洗浄器具が取り付け困難な箇所においても容易に排水管内の清掃を行うことができる、ｂ．一般人でも排水管の洗浄器具を簡単に水栓に取り付けることができる、ｃ．水栓を開いた際等に洗浄器具が排水口から外れてしまうこと防ぐこと、ができる排水管洗浄器具を提供する。【解決手段】洗浄器具１は排水口１５の排水管１６内部を洗浄するためのホース状の部材であって、その一端がシャワーホース２３に接続され、浴室水栓１９より給水を行うことによって洗浄を行う。又、洗浄器具１は外れ防止機構としての止水装置２を有しており、浴室水栓１９を開いた際に、洗浄器具１が排水管１６から外れてしまうことを防ぐよう設けられている。【選択図】図９
2016138407.tif 000002
【特許請求の範囲】
【請求項１】
水栓から連続するシャワーホースに取り付けられ、
洗浄対象の排水管の開口に挿入される洗浄用管体と、
一方の端部にシャワーホース、他方の端部に洗浄用管体をそれぞれ接続するジョイント部材と、
前記水栓を開いた際に洗浄用管体が排水管から外れることを防ぐ外れ防止機構から成る排水管の洗浄器具。
【請求項２】
屋外に設けられた水栓、若しくは当該水栓から連続するホースに取り付けられ、
洗浄対象の排水管の開口に挿入される洗浄用管体と、
一方の端部に前記水栓若しくは当該水栓から連続するホース、他方の端部に洗浄用管体をそれぞれ接続するジョイント部材と、
前記水栓を開いた際に洗浄用管体が排水管から外れることを防ぐ外れ防止機構から成る排水管の洗浄器具。
【請求項３】
前記外れ防止機構が、水栓よりも洗浄用管体側に設けられた止水装置であることを特徴とする請求項１又は請求項２に記載の排水管の洗浄器具。
【請求項４】
前記外れ防止機構が、洗浄器具を排水管の開口近傍に固定する固定部であることを特徴とする請求項１又は請求項２に記載の排水管の洗浄器具。
【発明の詳細な説明】
【技術分野】
【０００１】
本発明は、浴槽や流し台、洗面台や各種槽体の水栓を利用し、槽体の排水管内の洗浄を行う排水管の洗浄器具に関するものである。
【背景技術】
【０００２】
特許文献１に記載の排水管の洗浄器具は、排水管内部を清掃するために、排水口から排水管内部に挿入するための部品であり、取付用金具、洗浄用管体、ヘッドノズル、コックから構成される。
取付用金具は、後述する洗浄用管体を前記水栓の蛇口に取り付ける為の金具であって、締め付け用の金具製ベルトと、当該ベルトの締め付け部から成る。
洗浄用管体は、内部に水を通過させるための可撓性を有した管体であり、一端に上記取付用金具を備え、他端に後述するヘッドノズルを備える。当該洗浄用管体を槽体の排水口から排水管内部に挿入させ、排水管内部の清掃を行う。
ヘッドノズルは、洗浄用管体の先端に接続される部品であり、洗浄用管体内の径より小径の噴出口を備え、洗浄用管体内部の水を加圧して排出することができる部材である。
コックは逆止め弁付きの止水装置であり、当該コックを開閉することによって洗浄用管体への通水／止水状態を制御することが可能となる。
【０００３】
上記の従来例である排水管の洗浄器具は以下のように使用される。
まず、水栓に洗浄器具を接続する。具体的には、水栓の蛇口外周に洗浄器具の洗浄用管体の一端を挿入する。この時、取付用金具の締め付け部を予め緩めておき、締め付け用ベルトを蛇口の周囲に配置し、締め付け部を締め付ける。そうすると、締め付け用ベルトが洗浄用管体を介して蛇口を締め付け、結果的に洗浄用管体が蛇口に水密的に取り付けることができる。
また、その後、洗浄用管体の他端（ヘッドノズル）を台所の流し台等、清掃を行う槽体の排水口から排水管内部に挿入する。そして、水栓及びコックを開栓すると、蛇口から水が吐水され、当該吐水が洗浄用管体内を通過し、洗浄用管体の先端に配置しているヘッドノズルにより高圧の水が噴出する。ヘッドノズルの開口は洗浄用管体よりも小径な為、洗浄用管体内の水が圧縮され、高圧の水がヘッドノズルより噴出する。
そして、使用者が適宜洗浄用管体を操作し、排水管内、そして排水トラップより下流を通過させて排水管内の汚れやヌメリ、詰まりを下流へ洗い流すことができる。
【先行技術文献】
【特許文献】
【０００４】
【特許文献１】特開２０１２−１９７５９７号公報
【発明の概要】
【発明が解決しようとする課題】
【０００５】
従来例での排水管の洗浄器具では以下のような問題があった。
水栓は、意匠性の問題や、吐水形態（シャワー水栓等）により、非常に多種多様な形状が市場に存在し、蛇口の口径・形状の種類によっては洗浄器具を取り付けることが不可能なことがあった。特に、洗面台に備え付けられている水栓においては顕著であり、洗浄器具を取り付けることができない場合が多かった。又、洗濯機などの設備機器に給水する水栓には、設備機器と連結するための専用の継ぎ手が取り付けられており、洗浄器具を取り付ける場合、わざわざ専用工具等を使用して水栓と継ぎ手を分離せねばならず、一般の使用者にとって、非常に手間であるばかりか、分離作業が不可能な場合もあった。
ここで、洗面所の水栓に代えて、洗面所と隣接する浴室の蛇口に洗浄器具を取り付けて洗面所内の排水管の洗浄を行おうとしても、浴室の蛇口から洗面所の排水管までは相当な距離があり、洗浄器具が届かない、又は排水管内に十分に挿入できない場合があった。又、浴室の蛇口を利用して洗面所内の排水管の洗浄を行う場合、作業手順は以下のように、
１．浴室の蛇口と洗浄器具を接続する。
２．洗面所にて、洗浄器具を排水口より排水管内に挿入する。
３．浴室にて浴室の水栓を開き、蛇口より吐水を行う。
４．洗面所にて、排水管内の洗浄を行う。
となる。しかし、浴室の水栓と洗面所の排水管までには距離があることから、作業者は洗浄器具が外れないように洗浄器具を押さえ付けながら浴室の水栓を開くことができない。そのため、上記手段によって洗浄を行った場合、手順３において浴室の水栓を開いた際に、洗浄器具からの湯水の噴射の勢いによって、洗浄器具が排水管より外れてしまい、洗面所内が水浸しになってしまうという新たな問題が生じた。
【０００６】
本発明は上記問題に鑑み、以下の課題を解決することを目的とする。
ａ．洗浄器具が取り付け困難な箇所においても容易に排水管内の清掃を行うことができる。
ｂ．一般人でも排水管の洗浄器具を簡単に水栓に取り付けることができる。 
ｃ．水栓を開いた際等に洗浄器具が排水口から外れてしまうこと防ぐ。
【課題を解決するための手段】
【０００７】
上記課題を解決するための請求項１に記載の本発明は、水栓から連続するシャワーホースに取り付けられ、
洗浄対象の排水管の開口に挿入される洗浄用管体と、
一方の端部にシャワーホース、他方の端部に洗浄用管体をそれぞれ接続するジョイント部材と、
前記水栓を開いた際に洗浄用管体が排水管から外れることを防ぐ外れ防止機構から成る排水管の洗浄器具である。
【０００８】
請求項２に記載の本発明は、屋外に設けられた水栓、若しくは当該水栓から連続するホースに取り付けられ、
洗浄対象の排水管の開口に挿入される洗浄用管体と、
一方の端部に前記水栓若しくは当該水栓から連続するホース、他方の端部に洗浄用管体をそれぞれ接続するジョイント部材と、
前記水栓を開いた際に洗浄用管体が排水管から外れることを防ぐ外れ防止機構から成る排水管の洗浄器具である。
【０００９】
請求項３に記載の本発明は、前記外れ防止機構が、水栓よりも洗浄用管体側に設けられた止水装置であることを特徴とする請求項１又は請求項２に記載の排水管の洗浄器具である。
【００１０】
請求項４に記載の本発明は、前記外れ防止機構が、洗浄器具を排水管の開口近傍に固定する固定部であることを特徴とする請求項１又は請求項２に記載の排水管の洗浄器具である。
【発明の効果】
【００１１】
請求項１及び請求項２に記載の本発明によれば、排水管の洗浄を行うにあたり、浴室や屋外から洗浄水を供給することによって一般家庭でも容易に排水管の洗浄を行うことができる。又、本発明は外れ防止機構を備えているため、水栓を開いた際に洗浄用管体が排水管から外れてしまうことを防ぐことができる。
請求項３に記載の本発明によれば、止水装置によって、水栓を開いた際に洗浄用管体から湯水が噴出することを防ぐため、洗浄用管体が排水管から外れてしまうことがない。又、使用者は洗浄用管体が排水管から外れない様、押さえながら湯水の噴出を行うことができる。
請求項４に記載に記載の本発明によれば、固定部によって洗浄器具が排水管の開口近傍に固定され、洗浄用管体が排水管から外れてしまうことを防ぐ。
【図面の簡単な説明】
【００１２】
【図１】洗浄器具を示す断面図である。
【図２】洗浄器具を示す分解斜視図である。
【図３】ヘッドノズルを示す要部拡大断面図である。
【図４】浴室、洗面所、屋外の一部を示す参考図である。
【図５】浴室水栓及びシャワーを示す参考図である。
【図６】シャワーヘッド近傍を示す分解図である。
【図７】洗面台を示す参考図である。
【図８】シャワーホースと洗浄器具との接続を示す斜視図である。
【図９】洗浄器具の使用状態を示す参考図である。
【図１０】屋外に設けられた水栓及び当該水栓から連続するホースを示す参考図である。
【図１１】シャワーヘッド近傍を示す分解図である。
【図１２】シャワーホースと洗浄器具との接続を示す斜視図である。
【図１３】第二実施形態の使用状態を示す参考図である。
【図１４】本発明の固定部を示す断面図である。
【図１５】第三実施形態の使用状態を示す参考図である。
【図１６】洗濯機用防水パンを示す参考図である。
【発明を実施するための形態】
【００１３】
以下、図面を参照しながら本発明の排水管の洗浄器具を説明する。
【００１４】
洗浄器具１は、図１乃至図３に示すように、後述する排水口１５の排水管１６内部を洗浄するためのホース状の部材である。洗浄器具１は上流側より止水装置２、洗浄器具本体４、洗浄用管体８、ヘッドノズル９から構成され、後述するシャワーホース２３に接続するためのアダプター１４が取り付けられている。
【００１５】
止水装置２は本実施形態における外れ防止機構を構成し、内部に流体を通過させる流路を有するとともに、操作部３の操作に基づいて当該流路の開閉させることによって、止水／通水を切り替えることが可能な部材である。操作部３は押し引き操作が可能なボタン部であって、当該操作部３を押し込んだ際には操作部３端部に設けられた止水栓が止水装置２の流路を閉塞する。又、当該閉塞状態より操作部３に引っ張り操作を加えると、操作部３端部の止水栓が止水装置２の流路を開放し、上流からの吐水が洗浄器具本体４へと通過可能となる。
尚、本実施形態において、止水装置２は上流側においてアダプター１４と螺合され、下流側において洗浄器具本体４と螺合されているが、洗浄機本体４よりも下流側に配置される等、止水装置２の位置は特に限定されるものではない。
【００１６】
洗浄器具本体４は給水側接続口５、洗浄用管体接続口６、逆止め弁７を有するジョイント部材である。
給水側接続口５は、洗浄器具本体４の上流側端部に構成された接続口であって、雄螺子が螺刻されている。尚、第一実施形態において、洗浄器具１は当該給水側接続口５により、アダプター１４及び後述する止水装置２を介してシャワーホース２３に接続される。
洗浄用管体接続口６は、洗浄器具本体４の下流側端部に構成された接続口であって、後述する洗浄用管体８と螺合する雄螺子部が螺刻されている。
逆止め弁７は洗浄器具本体４内部に着脱自在に配置され、上流側（給水側接続口５側）から吐水された湯水は通過させるが、下流側（洗浄用管体接続口６側）からの排水等の逆流を防ぐ弁部材であり、筒状のケーシング、弁体、当該弁体を上流側へと付勢するスプリングより構成されている。又、本実施形態における逆止め弁７は、上流側及び下流側に開口を備えた筒体であって、外周に止水用のＯリング等の水密化を図る部材が配置されている。上記筒状のケーシングの中心にはガイド軸が備えられ、弁体が当該ガイド軸に沿って軸方向に移動可能となっている。そして、当該弁体はスプリングにより上流側に付勢されており、上流側から湯水の吐水が生じていない際において上流側の開口を閉口している。尚、当該逆止め弁７は、上流側からの湯水の侵入があった際には、当該湯水によって弁体が下流側へ押圧されることによって上流開口が開口し、逆止め弁７内を通過させて下流開口から排出する。一方、下流側より排水等が侵入しようとした場合には、弁体が上流開口を閉口しているため、洗浄用管体８側からの排水等が逆流することはない。
【００１７】
洗浄用管体８は、内部に流体を通過させるための流路を有し、側面方向には可撓性を、軸方向には剛性を有したチューブ状の管体であり、一端は筒状のパッキンを介して洗浄器具本体４の洗浄用管体接続口６に接続され、他端にはヘッドノズル９が備えられている。洗浄用管体８の使用の際には当該洗浄用管体８を槽体３１の排水口１５から排水管１６内部に挿入し、排水管１６内部の洗浄を行う。
ヘッドノズル９は、洗浄用管体８の先端に接続される部材であり、洗浄用管体８の内径よりも小径の噴出口１０を４箇所有し、洗浄用管体８からの湯水を加圧して排出する部材である。ヘッドノズル９に設けられた噴出口１０は、ヘッドノズル９の軸方向に形成された主噴出口１１と、主噴出口１１の周囲に三箇所形成された副噴出口１２より構成されており、主噴出口１１は副噴出口１２よりも大径に形成されている。又、図３に示すように、ヘッドノズル９内部であって主噴出口１１の上流側端部近傍には段部１３が形成されており、当該段部１３はヘッドノズル９に侵入した湯水が副噴出口１０からも均等に噴出されるように流体を分流させる機能を奏する。
【００１８】
アダプター１４は上流側端部にシャワーヘッド接続口２４と対応する雄螺子を、下流側端部に止水装置２と対応する雌螺子をそれぞれ有する筒状部材である。尚、アダプター１４はシャワーホース２３に洗浄器具１を取り付ける際に使用される部材であって、シャワーヘッド接続口２４の螺子径に合わせて適宜対応するアダプター１４に取り替えることで異径のシャワーホース２３と接続可能となる。従って、本実施形態においては洗浄器具１とシャワーホース２３を接続する際にアダプター１４を介して接続を行っているが、接続するシャワーホース２３によってはアダプター１４を介さず、直接洗浄器具１との接続を行っても良い。
【００１９】
ここで、上記洗浄器具１は図４に示す洗面所２９と隣接する浴室１７のシャワーホース２３に取り付けられ、洗面所２９内で使用される。当該洗面所２９は洗面台３０及び洗濯機用防水パン３７が配置されている。
【００２０】
浴室１７は上記洗面所２９と折り畳み式の開閉扉（図示せず）を介して隣接しており、当該浴室１７には浴槽及び給水設備として浴室水栓１９が配置されている。
図５に示すように、上記浴室１７に配置された浴室水栓１９はレバー２０、蛇口２１、シャワー２２から構成されており、蛇口２１及びシャワー２２からの吐水を切換可能な水栓であって、レバー２０を操作して開閉及び水量の調節を行う。尚、本実施形態において浴室水栓１９は浴室１７の壁面に配置構成されている。
レバー２０は、浴室水栓１９の開閉を行うものであって、本実施形態においてはレバー２０を上下に回動させることで浴室水栓１９内部の管路（図示せず）を開閉し、蛇口２１又はシャワー２２から湯水を吐水することができる。尚、本実施形態におけるレバー２０は、閉栓位置より下方にレバー２０を回動させることで蛇口２１より吐水し、上方にレバー２０を動かすことでシャワー２２からの吐水を行うことができる。
蛇口２１は浴室水栓１９の吐水を行う管体であって、上記レバー２０を下方に回動させることで湯水の吐水を行うことができる。
シャワー２２は図６に示すように、シャワーホース２３、シャワーヘッド接続口２４、シャワーヘッド２５より構成され、上記レバー２０を上方に回動させることで湯水の吐水を行うことができる。
シャワーホース２３は可撓性を有し、その内部に流路を形成する管体であって、浴室水栓１９から延出して配置されている。又、シャワーホース２３はその端部に雌螺子が螺刻されたシャワーヘッド接続口２４を有しており、シャワーヘッド２５が接続されている。
シャワーヘッド２５は、シャワーホース２３端部のシャワーヘッド接続口２４に接続される、水を分散して噴射する器具であり、無数の小穴が開口している。シャワーヘッド２５端部には、シャワーヘッド接続口２４の雌螺子と螺合する雌螺子が形成されている。
【００２１】
洗面台３０は図７に示すように、槽体３１、洗面水栓３２、キャビネット３３、排水管１６から構成されている。
槽体３１は、洗面台３０に用いられる箱体、所謂洗面ボウルであって、底面に後述する排水管１６が接続される排水口１５が開口されている。又、槽体３１はその天面に洗面水栓３２が配置されているとともに、キャビネット３３に載置されている。
洗面水栓３２は、その近傍に設けられたレバーによって、蛇口からの吐水をシャワー状に切り替えることが可能となっている。  尚、洗面水栓３２はその端部が取り外し不可能であり、後述する洗浄器具１を取り付けることができない形状となっている。
キャビネット３３は内部に収納空間を有する箱体であり、その内部に上記排水管１６が配置されている。
排水管１６は槽体３１底面の排水口１５から連続する配管であり、内部に排水流路を形成する管体である。尚、洗面台３０の排水管１６はその流路の途中において略Ｓ字状に屈曲しており、内部に排水を貯留可能な形状となっている。そして、内部に貯留された排水によってその排水流路の一部を排水で満たすことで下流側からの臭気や害虫の逆流を防止する封水を形成する。
【００２２】
上記シャワーホース２３に対する洗浄器具１の取り付けの際には、まず、シャワーホース２３からシャワーヘッド２５を取り外し、シャワーヘッド接続口２４を露出させる。そして、図８に示すように、シャワーヘッド接続口２４とアダプター１４を螺合させることで洗浄器具１の取り付けが完了する。この時、作業者はアダプター１４を適宜変更することによって、螺子径や接続方法の異なるシャワーヘッド接続口２４を有するシャワーホース２３に洗浄器具１を取り付けることができる。
【００２３】
尚、本実施形態において洗浄器具本体４の給水側接続口５は止水装置２と螺合されているが、止水装置２が洗浄器具本体４の下流側等、実施形態とは異なる位置に配置されている場合には、洗浄器具本体４はアダプター１４を介してシャワーホース２３と接続されるか、直接シャワーホース２３と接続されても良いものであって、止水装置２の位置は実施形態に限定されるものではない。
【００２４】
上記方法によってシャワーホース２３に取り付けられた洗浄器具１は以下のようにして使用される。
【００２５】
まず、止水装置２の操作部３を押し込み、止水装置２内部の流路を止水状態にしておく。この状態においては、シャワーホース２３より湯水が流れても、止水装置２によって当該湯水が堰き止められる。
次に、図９に示すように、洗浄用管体８（ヘッドノズル９）を洗面所２９内の排水管１６内部に挿入する。前述の通り、浴室水栓１９から洗面所２９内の排水管１６までは相当な距離があるが、シャワーホース２３と洗浄器具１を接続したことにより、当該距離を横断するに足る長さが確保されている。
そして、作業者は一端浴室１７へと戻り、浴室水栓１９を操作し、シャワーホース２３へ吐水するようレバー２０を上方へと回動させる。この時、浴室水栓１９より湯水が排出され、シャワーホース２３へと流入するが、上記止水装置２が止水状態となっているため、ヘッドノズル９から吐水は噴出しない。
最後に、作業者は洗面所２９内へと戻り、排水口１５近傍にて洗浄用管体８を押さえつつ、止水装置２の操作部３に引っ張り操作を加えることで止水装置２を通水状態にし、排水管内の洗浄を行う。尚、止水装置２を通水状態にした瞬間にヘッドノズル９からは勢い良く湯水が噴出するが、使用者は排水口１５近傍にて洗浄用管体８を押さえているため、洗浄用管体８端部（ヘッドノズル９）が排水管１６より外れてしまうようなことはない。即ち、シャワーホース２３に洗浄器具１が取り付けられていることにより、止水装置２は洗面台３０の近傍に位置し、作業者は洗浄用管体８を押さえつつ止水装置２の操作が可能となっている。
【００２６】
使用手順は以上であるが、上記使用手順はあくまで一例であって、上記以外の手順で使用しても良い。例えば止水装置２を止水状態にしておき、シャワーホース２３と洗浄器具１を接続し、浴室水栓１９を開いた後にヘッドノズル９を排水管１６内部に挿入し、止水装置２を通水状態にすることで洗浄を行っても良いものである。
【００２７】
尚、洗浄完了時には、作業者は止水装置２の操作部３を押し込み、止水装置２を止水状態にしておき、浴室水栓１９を閉めることができるため、浴室水栓１９の止水を行うまでの間に洗浄用管体８が排水管１６から外れてしまうことを防ぐことができる。
【００２８】
本発明の第一実施形態は以上であるが、本発明の洗浄器具１は、浴室１７に配置されたシャワーホース２３にのみ接続されるものではない。即ち、以下に説明する第二実施形態のように屋外に設けられた水栓、若しくは当該水栓から連続するホースに取り付けられても良い。尚、第二実施形態の洗浄器具１の構成は上記第一実施形態と同一であり、同一箇所については既に記載した第一実施形態と同一の番号を付して説明を省略する。
【００２９】
本実施形態において、前述の通り、洗浄器具１は屋外に設けられた水栓、若しくは当該水栓から連続するホースに取り付けられる。
図４に示す屋外に設けられた水栓である屋外水栓３４は、庭やガレージ等、建家の外に設けられた散水用の水栓であり、図１０に示すとおり、レバー２０１、蛇口２１１から構成され、蛇口２１１には水栓から連続するホースであるシャワーホース２３１が取り付けられている。
シャワーホース２３１は可撓性を有し、その内部に流路を形成する管体であって、一端が蛇口２１１に固定されており、その大部分がホースリール３５によって巻き取られている。又、図１１に示すように、シャワーホース２３１はその端部に雌螺子が螺刻されたシャワーヘッド接続口２４１を有しており、散水用のシャワーヘッド２５１が接続されている。
シャワーヘッド２５１は、シャワーホース２３１端部のシャワーヘッド接続口２４１に接続される、水を分散して噴射する器具であり、無数の小穴が開口している。シャワーヘッド２５１端部には、シャワーヘッド接続口２４１の雌螺子と螺合する雄螺子が形成されている。
ホースリール３５は上記シャワーホース２３１の余剰部分を巻き取る装置であり、ハンドルを回動させることによりシャワーホース２３１の巻き取り／引き出しを行うことが可能となっている。
【００３０】
上記シャワーホース２３１に対する洗浄器具１の取り付けの際には、まず、シャワーホース２３１からシャワーヘッド２５１を取り外し、シャワーヘッド接続口２４１を露出させる。そして、図１２に示すように、シャワーヘッド接続口２４１とアダプター１４を螺合させることで洗浄器具１の取り付けが完了する。この時、作業者はアダプター１４を適宜変更することによって、螺子径の異なるシャワーヘッド接続口２４１を有するシャワーホース２３１に洗浄器具１を取り付けることができる。
【００３１】
シャワーホース２３１に取り付けられた洗浄器具１は以下のようにして使用される。
【００３２】
まず、止水装置２の操作部３を押し込み、止水装置２内部の流路を止水状態にしておく。この状態においては、シャワーホース２３１より水が流れても、止水装置２によって当該水が堰き止められる。
次に、図１３に示すように、屋外から洗面所２９の窓を通じてヘッドノズル９を洗面所２９内の排水管１６内部に挿入する。この時、屋外水栓３４から洗面所２９内の排水管１６までは相当な距離があるが、シャワーホース２３１と洗浄器具１を接続したことにより、当該距離を横断するに足る長さが確保されている。
そして、作業者は一端屋外へと戻り、屋外水栓３４を操作し、蛇口２１１からの吐水を行うようレバー２０１を回動させる。この時、屋外水栓３４より吐水が行われ、シャワーホース２３１へと流入するが、上記止水装置２が止水状態となっているため、ヘッドノズル９から吐水は噴出しない。
最後に、作業者は洗面所２９内へと戻り、排水口１５近傍にて洗浄用管体８を押さえつつ、止水装置２の操作部３に引っ張り操作を加え、止水装置２を通水状態にし、排水管内の洗浄を行う。尚、止水装置２を通水状態にした瞬間にヘッドノズル９からは勢い良く湯水が噴出するが、使用者は排水口１５近傍にて洗浄用管体８を押さえているため、洗浄用管体８端部（ヘッドノズル９）が排水管１６より外れてしまうようなことはない。即ち、シャワーホース２３１に洗浄器具１が取り付けられていることにより、止水装置２は洗面台３０の近傍に位置し、作業者は洗浄用管体８を押さえつつ止水装置２の操作が可能となっている。
【００３３】
使用手順は以上であるが、上記使用手順はあくまで一例であって、上記以外の手順で使用しても良い。例えば止水装置２を止水状態にしておき、シャワーホース２３１と洗浄器具１を接続し、屋外水栓３４を開いた後にヘッドノズル９を排水管１６内部に挿入し、止水装置２を通水状態にすることで洗浄を行っても良いものである。
【００３４】
尚、洗浄完了時には、作業者は止水装置２の操作部３を押し込み、止水装置２を止水状態にしておき、屋外水栓３４を閉めることができるため、屋外水栓３４の止水を行うまでの間に洗浄用管体８が排水管１６から外れてしまうことを防ぐことができる。
【００３５】
又、上記第二実施形態においては、洗浄器具１は屋外に設けられた水栓から連続するホースであるシャワーホース２３１に取り付けられていたが、屋外に設けられた水栓である屋外水栓３４に直接取り付けられていても良い。
【００３６】
次に、本発明の第三実施形態について説明する。尚、第三実施形態の構成は上記第一実施形態と外れ防止機構のみが異なるものであり、同一箇所については既に記載した第一実施形態と同一の番号を付して説明を省略する。
【００３７】
本実施形態における外れ防止機構は、弾性素材にて形成された吸盤から成る固定部２６であり、図１４に示すように、当該固定部２６は排水口１５近傍に吸着可能な吸盤部２７と、吸盤部２７の上方に設けられた洗浄用管体８を挿通可能な穴２８より構成されている。
【００３８】
次に、上記シャワーホース２３に対する洗浄器具１の取り付けについて説明する。
【００３９】
まず、シャワーホース２３からシャワーヘッド２５を取り外し、シャワーヘッド接続口２４を露出させ、シャワーヘッド接続口２４とアダプター１４を螺合させる。この時、作業者はアダプター１４を適宜変更することによって、螺子径の異なるシャワーヘッド接続口２４を有するシャワーホース２３に洗浄器具１を取り付けることができる。
次に、アダプター１４の雌螺子に洗浄器具１上流側端部の雄螺子を螺合させる。
最後に、固定部２６の穴２８に洗浄用管体８を挿通することで、洗浄器具１の取り付けが完了する。
【００４０】
シャワーホース２３に取り付けられた洗浄器具１は以下のようにして使用される。
【００４１】
まず、図１５に示すように、ヘッドノズル９を洗面所２９内の排水管１６内部に挿入し、固定部２６の吸盤部２７を排水口１５近傍の適宜位置に吸着させ、洗浄器具１を固定する。この時、浴室水栓１９から洗面所２９内の排水管１６までは相当な距離があるが、シャワーホース２３と洗浄器具１を接続したことにより、当該距離を横断するに足る長さが確保されている。
そして、作業者は一端浴室１７へと戻り、浴室水栓１９を操作し、シャワーホース２３へ吐水するようレバー２０を上方へと回動させる。この時、浴室水栓１９より湯水が排出され、シャワーホース２３へと流入するが、上記固定部２６によって洗浄器具１が排水口１５近傍にて固定されているため、ヘッドノズル９から勢い良く水が噴出されても洗浄器具１が排水管１６から外れてしまうことはない。
最後に、作業者は洗面所２９内へと戻り、排水口１５近傍にて洗浄用管体８を押さえつつ、固定部２６の固定を解除し、排水管内の洗浄を行う。
【００４２】
尚、上記使用手順は一例であって、上記以外の手順で使用しても良い。例えば固定部２６を排水口１５に吸着させた状態のまま、排水管１６内部の洗浄を行っても良い。
【００４３】
本発明の実施形態は以上であるが、本発明においては、洗面所２９内の排水管１６の洗浄を行うにあたり、浴室１７や屋外から洗浄水を供給することで一般家庭においても容易に排水管１６の洗浄を行うことを可能にした。一方で、本発明は外れ防止機構として止水装置２を備えているため、浴室水栓１９又は屋外水栓３４を開いた際に、洗浄器具１が排水管１６から外れてしまい、洗面所２９内を水浸しにしてしまうことを防ぐことができる。即ち、外れ防止機構が止水装置２であった場合、使用者は洗浄用管体８が排水口１５から外れない様に押さえた状態でヘッドノズル９より湯水の噴出を行うことができ、外れ防止機構が固定部２６であった場合、そもそも洗浄用管体８が排水管１６から外れてしまうことはない。
【００４４】
上記実施形態においては、洗浄器具１を用いて洗面台３０の排水管１６の洗浄を行ったが、本発明の洗浄器具１は洗面台３０の排水管１６の使用に限定されるものではなく、例えば、図４に示す洗面所２９に配置された、洗濯機３６が載置された洗濯機用防水パン３７の排水管１６の洗浄を行っても良い。
【００４５】
図１６に示すように、洗濯機用防水パン３７は平面視略正方形であって、その四隅に洗濯機３６を載置するための台座部を備えるとともに、外周が防水壁部によって覆われた受け皿状であり、底面において後述する排水管１６が接続される排水口１５が開口されている。
洗濯機水栓３８は洗濯機３６へ接続するための継手が取り付けられており、当該継手によって洗濯機３６から伸びるホースと連結している。
ここで、洗濯機水栓３８に取り付けられている継手は螺子等によって水栓に対して強固に取り付けられており、当該継手を取り外すためにはドライバー等の工具を必要とする。
【００４６】
本発明の実施形態は以上であるが、本発明の洗浄器具１は上記各実施形態に限定されるものではない。例えば、第一実施形態において、止水装置２は洗浄器具１の最も上流側であって、洗浄器具本体４の上流側と螺合されていたが、洗浄器具本体４の下流側や、洗浄用管体８の途中に配置されていても良く、適宜変更可能である。尚、洗浄用管体８の途中に止水装置２が配置されている場合、止水装置２が洗浄を行う排水管１６へと近づくことから、作業者は止水装置２の操作を行い易いが、洗浄器具本体４と止水装置２を連結するために、止水装置２の上流側及び下流側に洗浄用管体８が必要となることから、部材点数が増加すると共に、連結部分の止水性が問題となる恐れがある。
又、上記実施形態において、外れ防止機構としての止水装置２の操作部３は押し引き操作が可能なボタン部であったが、当該操作部３は回動可能なバルブ部である等、止水装置２の形状・構成は発明の要旨を逸脱しない範囲において適宜変更可能である。
同様に、上記実施形態において、外れ防止機構としての固定部２６は吸盤であったが、当該固定部２６は磁石や適当な重さを有する重りである等、固定部２６の形状・構成は発明の要旨を逸脱しない範囲において適宜変更可能である。
又、上記各実施形態において、外れ防止機構は止水装置２又は固定部２６より構成されていたが、本発明の洗浄器具１は外れ防止機構として止水装置２及び固定部２６のどちらか一方のみを有していても良く、その両方を有していても良い。
【符号の説明】
【００４７】
１            洗浄器具
２            止水装置
３            操作部
４            洗浄器具本体
５            給水側接続口
６            洗浄用管体接続口
７            逆止め弁
８            洗浄用管体
９            ヘッドノズル
１０          噴出口
１１          主噴出口
１２          副噴出口
１３          段部
１４          アダプター
１５          排水口
１６          排水管
１７          浴室
１９          浴室水栓
２０，２０１  レバー
２１，２１１  蛇口
２２          シャワー
２３，２３１  シャワーホース
２４，２４１  シャワーヘッド接続口
２５，２５１  シャワーヘッド
２６          固定部
２７          吸盤部
２８          穴
２９          洗面所
３０          洗面台
３１          槽体
３２          洗面水栓
３３          キャビネット
３４          屋外水栓
３５          ホースリール
３６          洗濯機
３７          洗濯機用防水パン
３８          洗濯機水栓
【図１】
2016138407.tif 000003
【図２】
2016138407.tif 000004
【図３】
2016138407.tif 000005
【図４】
2016138407.tif 000006
【図５】
2016138407.tif 000007
【図６】
2016138407.tif 000008
【図７】
2016138407.tif 000009
【図８】
2016138407.tif 000010
【図９】
2016138407.tif 000011
【図１０】
2016138407.tif 000012
【図１１】
2016138407.tif 000013
【図１２】
2016138407.tif 000014
【図１３】
2016138407.tif 000015
【図１４】
2016138407.tif 000016
【図１５】
2016138407.tif 000017
【図１６】
2016138407.tif 000018